(57)【要約】【課題】双方向カスケード伝送を実現するに際して、省電力化、低コスト化、狭額縁化を達成する。【解決手段】コントローラ２から順次に送出される表示データをカスケード構成の表示パネル駆動装置Ａ１，Ａ２，Ａ３が取り込むに、順方向作モードでは、最終段以外の駆動装置はスタート信号を受け取ると自己宛てデータを取り込むとともにスタート信号を順方向に１つ後段の駆動装置に送出し、最終段の駆動装置はスタート信号を受け取ると自己宛てデータの取り込みを行う。逆方向動作モードでは、順方向での信号・データのカスケード伝送時にはデータ取り込みは行わず、最終段の駆動装置はスタート信号を受け取ると自己宛てデータを取り込むとともにイネーブル信号を逆方向に１つ前段の駆動装置に送出し、最終段以外の駆動装置はイネーブル信号を受け取ると自己宛てデータを取り込むとともにイネーブル信号を逆方向に１つ前段の駆動装置に送出する。【選択図】図１
2008083303.tif 000002
【特許請求の範囲】
【請求項１】
表示パネルに対して並列配置された複数の表示パネル駆動装置がカスケード接続され、
コントローラから順次に送出される表示データを前記複数の表示パネル駆動装置が取り込む順序について、複数の表示パネル駆動装置の並列配置の順方向に順次に取り込む順方向取り込み動作モードと逆方向に順次に取り込む逆方向取り込み動作モードとが切り替え可能に構成され、
前記順方向取り込み動作モードでは、最終段以外の各表示パネル駆動装置はスタート信号を受け取ると自己宛ての表示データの取り込みを行うとともにスタート信号を順方向に１つ後段の表示パネル駆動装置に送出し、最終段の表示パネル駆動装置はスタート信号を受け取ると自己宛ての表示データの取り込みを行い、
前記逆方向取り込み動作モードでは、最終段以外の各表示パネル駆動装置はスタート信号を受け取るとスタート信号を順方向に１つ後段の表示パネル駆動装置に送出し、最終段の表示パネル駆動装置はスタート信号を受け取ると自己宛ての表示データの取り込みを行うとともにイネーブル信号を逆方向に１つ前段の表示パネル駆動装置に送出し、最終段以外の表示パネル駆動装置は前記イネーブル信号を受け取ると自己宛ての表示データの取り込みを行うとともにイネーブル信号を逆方向に１つ前段の表示パネル駆動装置に送出するように構成されているパネル表示装置。
【請求項２】
前記コントローラは、前記順方向取り込み動作モードと前記逆方向取り込み動作モードとを切り替えるためのシフト切替信号を前記各表示パネル駆動装置に対して出力するように構成されている請求項１に記載のパネル表示装置。
【請求項３】
前記複数の表示パネル駆動装置のそれぞれは、前記コントローラから送られてくる前記表示データを最後に受け取る表示パネル駆動装置であるか否かを認識させるための最終段認識信号を設定するように構成されている請求項１または請求項２に記載のパネル表示装置。
【請求項４】
前記最終段認識信号は、前記表示パネル駆動装置毎に“Ｈ”レベルまたは“Ｌ”レベルに固定されている請求項３に記載のパネル表示装置。
【請求項５】
前記コントローラは、前記最終段認識信号を前記各表示パネル駆動装置に対して出力するように構成されている請求項３に記載のパネル表示装置。
【請求項６】
前記コントローラは、前記表示データとして複数チャンネルの表示データを同時に送出するように構成され、
前記複数の表示パネル駆動装置のそれぞれは、前記コントローラから出力される前記表示データを最初に受け取る表示パネル駆動装置であるか否かを認識させるための初段認識信号を設定するように構成され、
前記初段認識信号がアサート状態にある前記表示パネル駆動装置は、受け取った複数チャンネルの表示データを互いにタイミングをずらせて次段の表示パネル駆動装置に送出するように構成されている請求項１から請求項５までのいずれかに記載のパネル表示装置。
【請求項７】
前記初段認識信号は、前記表示パネル駆動装置毎に“Ｈ”レベルまたは“Ｌ”レベルに固定されている請求項６に記載のパネル表示装置。
【請求項８】
前記コントローラは、前記初段認識信号を前記各表示パネル駆動装置に対して出力するように構成されている請求項６に記載のパネル表示装置。
【請求項９】
前記表示パネルに対して並列配置された複数の表示パネル駆動装置と前記コントローラとがカスケード接続されたものとして、第１のカスケード群と第２のカスケード群との２組があり、前記第１のカスケード群と前記第２のカスケード群とが互いに独立して動作可能に構成されている請求項１から請求項８までのいずれかに記載のパネル表示装置。
【請求項１０】
前記第１のカスケード群と前記第２のカスケード群とが前記表示パネルに対して対称的に配列されている請求項９に記載のパネル表示装置。
【請求項１１】
前記第１のカスケード群における前記複数の表示パネル駆動装置と前記第２のカスケード群における前記複数の表示パネル駆動装置とは互いに共通の構成を有し、前記シフト切替信号と前記最終段認識信号とともに送受信切替信号の設定によって制御可能構成されている請求項１０に記載のパネル表示装置。
【請求項１２】
前記複数の表示パネル駆動装置はそれぞれ、
各種信号を前記順方向に送受信する第１の送受信部および前記逆方向に送受信する第２の送受信部と、
前記表示データを取り込むための複数のラッチ信号を生成するシフトレジスタと、
前記シフトレジスタからの前記ラッチ信号によって前記表示データを取り込むラッチ回路とを備え、
前記第１の送受信部が受信した信号により、前記シフトレジスタが生成する初段のラッチ信号から最終段のラッチ信号により前記表示データを取り込み、
前記第１の送受信部が受信した信号により前記シフトレジスタを動作させ、前記シフトレジスタが生成する最終段のラッチ信号から初段のラッチ信号により前記表示データを取り込むように構成されている請求項１から請求項１１までのいずれかに記載のパネル表示装置。
【請求項１３】
前記複数の表示パネル駆動装置のそれぞれは、前記第１の送受信部と前記第２の送受信部の送信・受信の役割を切り替えるための送受信切替信号を設定するように構成されている請求項１２に記載のパネル表示装置。
【請求項１４】
前記送受信切替信号は、前記表示パネル駆動装置毎に“Ｈ”レベルまたは“Ｌ”レベルに固定されている請求項１３に記載のパネル表示装置。
【請求項１５】
前記コントローラは、前記送受信切替信号を前記各表示パネル駆動装置に対して出力するように構成されている請求項１３または請求項１４に記載のパネル表示装置。
【発明の詳細な説明】
【技術分野】
【０００１】
本発明は、液晶等の表示パネルに対する表示パネル駆動装置が複数並列配置されカスケードに接続されたパネル表示装置に関する。カスケードというのは、前段の表示パネル駆動装置が信号・データを受け取り、さらに次段の表示パネル駆動装置に伝播させる方式である。
【背景技術】
【０００２】
近年、液晶などのパネル表示装置において、複数の表示パネル駆動装置をカスケード接続させる方式が利用されるようになってきた。図２１は従来のカスケード接続におけるパネル表示装置の構成を示すブロック図である。表示パネル４に対して複数の表示パネル駆動装置Ａ１，Ａ２，Ａ３が並列に配置されている。電源回路１から出力される電源Ｐ１が表示パネル駆動装置Ａ１，Ａ２，Ａ３に印加され、電源Ｐ２が走査ドライバ３１，３２，３３に印加されている。コントローラ２から出力されるクロック信号Ｋ１〜Ｋ３、表示データＤ１〜Ｄ３、制御信号Ｃ１〜Ｃ３、イネーブル信号Ｅ１〜Ｅ３がそれぞれ表示パネル駆動装置Ａ１，Ａ２，Ａ３に対してカスケードに入力されている。コントローラ２から出力されたイネーブル信号Ｅ１を受信した表示パネル駆動装置Ａ１は、コントローラ２から出力される表示データＤ１をクロック信号Ｋ１に同期して取り込む。表示データＤ１の取り込みが完了すると、表示パネル駆動装置Ａ１は、表示パネル駆動装置Ａ２にイネーブル信号Ｅ２と表示データＤ２を送出し、以降、最終段の表示パネル駆動装置Ａ３まで同様のイネーブル信号の送出と表示データの取り込みを繰り返す。このようにして表示パネル駆動装置Ａ１，Ａ２，Ａ３のそれぞれで表示データＤ１，Ｄ２，Ｄ３を変換して得られた階調電圧Ｖ１，Ｖ２，Ｖ３が表示パネル４に入力される。
【０００３】
上記のようにパネル表示装置をカスケード型に構成すると、複数の表示パネル駆動装置が信号・データをそれぞれ独立に受け取るスタブ型に比べて、実動作状態にある表示パネル駆動装置の数を制限することができ、省電力化、低コスト化を図ることができる。また、配線面積が有利に展開され、狭額縁化を図ることができる（例えば特許文献１参照）。
【特許文献１】特開平１３−３２４９６７号公報（第４−６頁、第１−１０図）
【発明の開示】
【発明が解決しようとする課題】
【０００４】
上記従来のパネル表示装置は、コントローラ２から出力されるイネーブル信号を最初に受信する初段の表示パネル駆動装置Ａ１から最終段の表示パネル駆動装置Ａ３までの、一方向の表示データ取り込みのみを行う構成である。ところで、近時では、多くのパネル表示装置は表示データの取り込み方向を切り替える機能をもっており、双方向のデータ取り込みの機能が要求されている。しかし、上記従来の構成においては、表示データの取り込みは、コントローラ２から出力された信号を最初に受信する初段の表示パネル駆動装置Ａ１からでしか開始することができない。最終段の表示パネル駆動装置Ａ３から表示データの取り込みを開始させることはできない。表示データの取り込みを双方向に行わせるには、コントローラ２から出力された信号の入力先を初段の表示パネル駆動装置Ａ１にするのか最終段の表示パネル駆動装置Ａ３にするのかを切り替えるための回路とその動作を制御する信号が必要になる。また、コントローラ２から初段の表示パネル駆動装置Ａ１までの配線以外に、最終段の表示パネル駆動装置Ａ３までの配線も必要になる。つまり、双方向カスケード伝送を実現するに際しては、カスケード接続の本来のメリットである省電力化、低コスト化、狭額縁化が阻害されてしまうという課題がある。
【０００５】
本発明は、このような事情に鑑みて創作したものであり、双方向カスケード伝送を実現するに際して、省電力化、低コスト化、狭額縁化を達成することができるパネル表示装置を提供することを目的としている。
【課題を解決するための手段】
【０００６】
本発明によるパネル表示装置は、表示パネルに対して並列配置された複数の表示パネル駆動装置がカスケード接続され、コントローラから順次に送出される表示データを前記複数の表示パネル駆動装置が取り込む順序について、複数の表示パネル駆動装置の並列配置の順方向に順次に取り込む順方向取り込み動作モードと逆方向に順次に取り込む逆方向取り込み動作モードとが切り替え可能に構成され、前記順方向取り込み動作モードでは、最終段以外の各表示パネル駆動装置はスタート信号を受け取ると自己宛ての表示データの取り込みを行うとともにスタート信号を順方向に１つ後段の表示パネル駆動装置に送出し、最終段の表示パネル駆動装置はスタート信号を受け取ると自己宛ての表示データの取り込みを行い、前記逆方向取り込み動作モードでは、最終段以外の各表示パネル駆動装置はスタート信号を受け取るとスタート信号を順方向に１つ後段の表示パネル駆動装置に送出し、最終段の表示パネル駆動装置はスタート信号を受け取ると自己宛ての表示データの取り込みを行うとともにイネーブル信号を逆方向に１つ前段の表示パネル駆動装置に送出し、最終段以外の表示パネル駆動装置は前記イネーブル信号を受け取ると自己宛ての表示データの取り込みを行うとともにイネーブル信号を逆方向に１つ前段の表示パネル駆動装置に送出するように構成されている。
【０００７】
この構成においては、順方向取り込み動作モードでは、初段の表示パネル駆動装置は、コントローラからスタート信号を受け取ると自己宛ての表示データを取り込み、さらにスタート信号を２段目の表示パネル駆動装置に送出する。スタート信号を受け取った２段目の表示パネル駆動装置は、自己宛ての表示データを取り込み、さらにスタート信号を後段の表示パネル駆動装置に送出する。上記動作を繰り返し、スタート信号を受け取った最終段の表示パネル駆動装置は、自己宛ての表示データを取り込む。また、逆方向取り込み動作モードでは、初段の表示パネル駆動装置は、コントローラからスタート信号を受け取ると、そのスタート信号を２段目の表示パネル駆動装置に転送する。この場合、表示データの取り込みは行われない。スタート信号を受け取った２段目の表示パネル駆動装置は、さらにそのスタート信号を後段の表示パネル駆動装置に転送する。ここでも、表示データの取り込みは行われない。上記動作を繰り返し、スタート信号を受け取った最終段の表示パネル駆動装置は、自己宛ての表示データを取り込むとともに、イネーブル信号を生成して１つ前段の表示パネル駆動装置に送出する。イネーブル信号を受け取った表示パネル駆動装置は、自己宛ての表示データの取り込みを行うとともに、イネーブル信号を１つ前段の表示パネル駆動装置に送出する。上記動作を繰り返し、イネーブル信号を受け取った初段の表示パネル駆動装置は、自己宛ての表示データを取り込む。
【０００８】
上記の構成によれば、回路構成の複雑化を最小限に抑えながら、順方向取り込み動作モードと逆方向取り込み動作モードとを実現することが可能で、双方向カスケード伝送を実現するに際して、省電力化、低コスト化、狭額縁化を達成することが可能となる。
【０００９】
上記構成のパネル表示装置において、前記コントローラは、前記順方向取り込み動作モードと前記逆方向取り込み動作モードとを切り替えるためのシフト切替信号を前記各表示パネル駆動装置に対して出力するように構成されているという態様がある。このように構成すれば、コントローラから各表示パネル駆動装置にシフト切替信号を与えることにより、設定されているモードが順方向取り込み動作モードであるか逆方向取り込み動作モードであるかを伝えることが可能になる。
【００１０】
また上記構成のパネル表示装置において、前記複数の表示パネル駆動装置のそれぞれは、前記コントローラから送られてくる前記表示データを最後に受け取る表示パネル駆動装置であるか否かを認識させるための最終段認識信号を設定するように構成されているという態様がある。このように構成すれば、順方向取り込み動作モードでも逆方向取り込み動作モードでも、最終段の表示パネル駆動装置には最終段認識信号をアサート状態にして設定し、最終段以外の各表示パネル駆動装置には最終段認識信号をネゲート状態にして設定すればよい。ただし、データを最初に受信するものを初段とし、最後に受信するものを最終段とする。
【００１１】
また上記構成のパネル表示装置において、前記最終段認識信号は、前記表示パネル駆動装置毎に“Ｈ”レベルまたは“Ｌ”レベルに固定されているという態様がある。このように構成すれば、コントローラから最終段認識信号を送出する必要はない。
【００１２】
また上記構成のパネル表示装置において、前記コントローラは、前記最終段認識信号を前記各表示パネル駆動装置に対して出力するように構成されているという態様がある。このように構成すれば、コントローラから送出する最終段認識信号の調整によって、必要に応じて、順方向取り込み動作モードと逆方向取り込み動作モードとを自由に切り替えることが可能になる。
【００１３】
また上記構成のパネル表示装置において、前記コントローラは、前記表示データとして複数チャンネルの表示データを同時に送出するように構成され、前記複数の表示パネル駆動装置のそれぞれは、前記コントローラから出力される前記表示データを最初に受け取る表示パネル駆動装置であるか否かを認識させるための初段認識信号を設定するように構成され、前記初段認識信号がアサート状態にある前記表示パネル駆動装置は、受け取った複数チャンネルの表示データを互いにタイミングをずらせて次段の表示パネル駆動装置に送出するように構成されているという態様がある。このように構成すれば、複数チャンネルの表示データを互いにタイミングをずらせて伝送することが可能で、同時伝送の場合に認められるＥＭＩ（電子輻射ノイズ）や電源ドロップなどを抑制することが可能になる。
【００１４】
また上記構成のパネル表示装置において、前記初段認識信号は、前記表示パネル駆動装置毎に“Ｈ”レベルまたは“Ｌ”レベルに固定されているという態様がある。このように構成すれば、コントローラから初段認識信号を送出する必要はない。
【００１５】
上記構成のパネル表示装置において、前記コントローラは、前記初段認識信号を前記各表示パネル駆動装置に対して出力するように構成されているという態様がある。このように構成すれば、コントローラから送出する初段認識信号の調整によって、必要に応じて、順方向取り込み動作モードと逆方向取り込み動作モードとを自由に切り替えることが可能になる。
【００１６】
上記構成のパネル表示装置において、前記表示パネルに対して並列配置された複数の表示パネル駆動装置と前記コントローラとがカスケード接続されたものとして、第１のカスケード群と第２のカスケード群との２組があり、前記第１のカスケード群と前記第２のカスケード群とが互いに独立して動作可能に構成されているという態様がある。このように構成すれば、表示パネルに対して並列配置された第１のカスケード群の表示パネル駆動装置と第２のカスケード群の表示パネル駆動装置とを互いに独立して動作させることが可能となる。例えば、第１のカスケード群、第２のカスケード群ともに順方向取り込み動作モード、第１のカスケード群、第２のカスケード群ともに逆方向取り込み動作モード、第１のカスケード群は順方向取り込み動作モードで第２のカスケード群は逆方向取り込み動作モード、第１のカスケード群は逆方向取り込み動作モードで第２のカスケード群は順方向取り込み動作モードといった選択が可能となる。
【００１７】
また上記構成のパネル表示装置において、前記第１のカスケード群と前記第２のカスケード群とが前記表示パネルに対して対称的に配列されているという態様がある。このように構成すれば、コントローラから複数の表示パネル駆動装置に接続する配線の引き回しが第１のカスケード群でも第２のカスケード群でも簡略化され、配線引き回し面積の増加を抑制することが可能になる。
【００１８】
また上記構成のパネル表示装置において、前記第１のカスケード群における前記複数の表示パネル駆動装置と前記第２のカスケード群における前記複数の表示パネル駆動装置とは互いに共通の構成を有し、前記シフト切替信号と前記最終段認識信号とともに送受信切替信号の設定によって制御可能構成されているという態様がある。このように構成すれば、複数の表示パネル駆動装置の構成共通化により、コストダウンを進めることが可能となる。
【００１９】
また上記構成のパネル表示装置において、前記複数の表示パネル駆動装置はそれぞれ、各種信号を前記順方向に送受信する第１の送受信部および前記逆方向に送受信する第２の送受信部と、前記表示データを取り込むための複数のラッチ信号を生成するシフトレジスタと、前記シフトレジスタからの前記ラッチ信号によって前記表示データを取り込むラッチ回路とを備え、前記第１の送受信部が受信した信号により、前記シフトレジスタが生成する初段のラッチ信号から最終段のラッチ信号により前記表示データを取り込み、前記第１の送受信部が受信した信号により前記シフトレジスタを動作させ、前記シフトレジスタが生成する最終段のラッチ信号から初段のラッチ信号により前記表示データを取り込むように構成されているという態様がある。このように構成すれば、コストダウンのための複数の表示パネル駆動装置の構成共通化、２つのカスケード群の独立的動作、ならびに配線引き回しの簡略化および面積増加抑制を有利に展開することが可能になる。
【００２０】
また上記構成のパネル表示装置において、前記複数の表示パネル駆動装置のそれぞれは、前記第１の送受信部と前記第２の送受信部の送信・受信の役割を切り替えるための送受信切替信号を設定するように構成されているという態様がある。このように構成すれば、順方向取り込み動作モードと逆方向取り込み動作モードとを適宜に設定することが可能になる。
【００２１】
また上記構成のパネル表示装置において、前記送受信切替信号は、前記表示パネル駆動装置毎に“Ｈ”レベルまたは“Ｌ”レベルに固定されているという態様がある。このように構成すれば、コントローラから送受信切替信号を送出する必要はない。
【００２２】
また上記構成のパネル表示装置において、前記コントローラは、前記送受信切替信号を前記各表示パネル駆動装置に対して出力するように構成されているという態様がある。このように構成すれば、コントローラから送出する送受信切替信号の調整によって、必要に応じて、順方向取り込み動作モードと逆方向取り込み動作モードとを自由に切り替えることが可能になる。
【発明の効果】
【００２３】
本発明によれば、表示パネル駆動装置をカスケード接続したパネル表示装置において、回路構成の複雑化を最小限に抑えながら、順方向取り込み動作モードと逆方向取り込み動作モードとを実現することが可能で、双方向カスケード伝送を実現するに際して、省電力化、低コスト化、狭額縁化を達成することができる。
【発明を実施するための最良の形態】
【００２４】
以下、本発明にかかわるパネル表示装置の実施の形態を図面を用いて詳細に説明する。
【００２５】
（実施の形態１）
図１は本発明の実施の形態１におけるパネル表示装置の構成を示すブロック図である。本実施の形態のパネル表示装置は、電源回路１、コントローラ２、３段の表示パネル駆動装置Ａ１，Ａ２，Ａ３、３段の走査ドライバ３１，３２，３３および表示パネル４から構成されている。
【００２６】
電源回路１から出力される電源Ｐ１が表示パネル駆動装置Ａ１，Ａ２，Ａ３に印加され、電源Ｐ２は走査ドライバ３１，３２，３３に印加されている。コントローラ２から出力されるクロック信号Ｋ１、表示データＤ１、スタート信号Ｓ１、制御信号Ｃ１、シフト切替信号Ｘ１が初段の表示パネル駆動装置Ａ１に入力され、初段の表示パネル駆動装置Ａ１から送出されたクロック信号Ｋ２、表示データＤ２、スタート信号Ｓ２、制御信号Ｃ２、シフト切替信号Ｘ２が表示パネル駆動装置Ａ２にカスケードに入力され、表示パネル駆動装置Ａ２から送出されたクロック信号Ｋ３、表示データＤ３、スタート信号Ｓ３、制御信号Ｃ３、シフト切替信号Ｘ３が最終段の表示パネル駆動装置Ａ３にカスケードに入力されている。また、最終段の表示パネル駆動装置Ａ３から送出されたイネーブル信号Ｅ１が表示パネル駆動装置Ａ２に入力され、表示パネル駆動装置Ａ２から送出されたイネーブル信号Ｅ２が初段の表示パネル駆動装置Ａ１にカスケードに入力されるように構成されている。また、固定端子における最終段認識信号Ｌ１，Ｌ２，Ｌ３はそれぞれ表示パネル駆動装置Ａ１，Ａ２，Ａ３に入力されている。また、表示パネル駆動装置Ａ１，Ａ２，Ａ３から出力される階調電圧Ｖ１，Ｖ２，Ｖ３は表示パネル４に入力されている。
【００２７】
シフト切替信号Ｘ１，Ｘ２，Ｘ３は、初段の表示パネル駆動装置Ａ１から最終段の表示パネル駆動装置Ａ３まで表示データの順方向取り込みを順次行う場合と、最終段の表示パネル駆動装置Ａ３から初段の表示パネル駆動装置Ａ１まで表示データの逆方向取り込みを順次行う場合を切り替えるための信号であり、このシフト切替信号Ｘ１，Ｘ２，Ｘ３により双方向カスケード伝送が可能になる。シフト切替信号Ｘ１，Ｘ２，Ｘ３を“Ｈ”レベルに設定したときは順方向取り込み動作モードが選択され、“Ｌ”レベルに設定したときは逆方向取り込み動作モードが選択される。
【００２８】
また、最終段認識信号Ｌ１，Ｌ２，Ｌ３は最終段の表示パネル駆動装置であることを認識させるための信号である。順方向取り込み動作モードでも逆方向取り込み動作モードでも、最終段の表示パネル駆動装置Ａ３に対する最終段認識信号Ｌ３のみを“Ｈ”レベルに設定し、初段の表示パネル駆動装置Ａ１と表示パネル駆動装置Ａ２に対する最終段認識信号Ｌ１，Ｌ２は“Ｌ”レベルに設定する。
【００２９】
次に、上記のように構成された本実施の形態のパネル表示装置の動作を説明する。
【００３０】
（１）順方向取り込み動作モード
まず、図２のタイミングチャートを用いて順方向取り込み動作モードの動作を説明する。シフト切替信号Ｘ１，Ｘ２，Ｘ３が“Ｈ”レベルに設定されると順方向取り込み動作モードが設定される。この場合、最終段の表示パネル駆動装置Ａ３に対する最終段認識信号Ｌ３のみを“Ｈ”レベルに設定し、他の表示パネル駆動装置Ａ１，Ａ２に対する最終段認識信号Ｌ１，Ｌ２は“Ｌ”レベルに設定する。
【００３１】
初段の表示パネル駆動装置Ａ１は、コントローラ２から出力されたスタート信号Ｓ１を受信すると、コントローラ２から出力されたクロック信号Ｋ１に同期させながら、コントローラ２から出力された表示データＤ１のうち当該の表示パネル駆動装置Ａ１に対応した表示データの取り込みを開始する。この表示データの取り込みが完了する前または後に、クロック信号Ｋ１に同期させながら、表示データＤ２、スタート信号Ｓ２を表示パネル駆動装置Ａ２に送出する。
【００３２】
表示パネル駆動装置Ａ２は、スタート信号Ｓ２を受信すると、初段の表示パネル駆動装置Ａ１から送出されたクロック信号Ｋ２に同期させながら、初段の表示パネル駆動装置Ａ１から送出された表示データＤ２のうち当該の表示パネル駆動装置Ａ２に対応した表示データの取り込みを開始する。この表示データの取り込みが完了する前または後に、クロック信号Ｋ２に同期させながら、表示データＤ３、スタート信号Ｓ３を表示パネル駆動装置Ａ３に送出する。
【００３３】
最終段の表示パネル駆動装置Ａ３は、スタート信号Ｓ３を受信すると、表示パネル駆動装置Ａ２から送出されたクロック信号Ｋ３に同期させながら、表示パネル駆動装置Ａ２から送出された表示データＤ３のうち当該の表示パネル駆動装置Ａ３に対応した表示データの取り込みを開始する。
【００３４】
以上のようにして、初段の表示パネル駆動装置Ａ１から最終段の表示パネル駆動装置Ａ３まで表示データの順方向に沿った取り込みを順次行うことができる。
【００３５】
（２）逆方向取り込み動作モード
次に、図３のタイミングチャートを用いて逆方向取り込み動作モードの動作を説明する。シフト切替信号Ｘ１，Ｘ２，Ｘ３が“Ｌ”レベルに設定されると逆方向取り込み動作モードが設定される。なお、最終段認識信号Ｌ１，Ｌ２，Ｌ３の設定については上記の（１）の場合と同様である。
【００３６】
初段の表示パネル駆動装置Ａ１は、コントローラ２から出力されたスタート信号Ｓ１を受信すると、その直後に、コントローラ２から出力されたクロック信号Ｋ１に同期させながら、表示データＤ２、スタート信号Ｓ２を表示パネル駆動装置Ａ２に送出する。この段階では、自己宛ての表示データの取り込みは行わない。
【００３７】
表示パネル駆動装置Ａ２は、初段の表示パネル駆動装置Ａ１から送出されたスタート信号Ｓ２を受信すると、その直後に、初段の表示パネル駆動装置Ａ１から送出されたクロック信号Ｋ２に同期させながら、表示データＤ３、スタート信号Ｓ３を最終段の表示パネル駆動装置Ａ３に送出する。この段階では、自己宛ての表示データの取り込みは行わない。
【００３８】
最終段の表示パネル駆動装置Ａ３は、表示パネル駆動装置Ａ２から送出されたスタート信号Ｓ３を受信すると、表示パネル駆動装置Ａ２から送出されたクロック信号Ｋ３に同期させながら、表示パネル駆動装置Ａ２から送出された表示データＤ３のうち当該の表示パネル駆動装置Ａ３に対応した表示データの取り込みを開始する。その後、この表示データの取り込みが完了する前に、イネーブル信号Ｅ１を表示パネル駆動装置Ａ２に送出する。
【００３９】
表示パネル駆動装置Ａ２は、最終段の表示パネル駆動装置Ａ３から送出されたイネーブル信号Ｅ１を受信すると、初段の表示パネル駆動装置Ａ１から送出されたクロック信号Ｋ２に同期させながら、初段の表示パネル駆動装置Ａ１から送出された表示データＤ２のうち当該の表示パネル駆動装置Ａ２に対応した表示データの取り込みを開始する。その後、この表示データの取り込みが完了する前に、イネーブル信号Ｅ２を初段の表示パネル駆動装置Ａ１に送出する。
【００４０】
初段の表示パネル駆動装置Ａ１は、表示パネル駆動装置Ａ２から送出されたイネーブル信号Ｅ２を受信すると、コントローラ２から出力されたクロック信号Ｋ１に同期させながら、コントローラ２から出力された表示データＤ１のうち当該の表示パネル駆動装置Ａ１に対応した表示データの取り込みを開始する。
【００４１】
以上のようにして、最終段の表示パネル駆動装置Ａ３から初段の表示パネル駆動装置Ａ１まで表示データの逆方向に沿った取り込みを順次行うことができる。
【００４２】
上記において、いずれのモードの場合も、最終段認識信号によって最終段を認識した表示パネル駆動装置は、次段への送出を行う必要がないため、送出に関する機能を使用する必要がない。送出に関する機能をもった回路部を停止させることが容易にでき、低消費電力化が可能になる。
【００４３】
なお、最終段認識信号Ｌ１，Ｌ２，Ｌ３については、パネル表示装置上で固定されていてもよいが、固定させるための配線を削減させるために、表示パネル駆動装置内でプルダウン素子やプルアップ素子をもたせ、“Ｈ”レベルか“Ｌ”レベルに固定してもよい。また、パネル表示装置上で固定する以外に、コントローラ２から各表示パネル駆動装置に異なる最終段認識信号Ｌ１，Ｌ２，Ｌ３を供給して制御を行ってもよい。
【００４４】
なお、スタート信号、表示データ、クロック信号に同期させながら送出させると説明しているが、セットアップ時間やホールド時間などのタイミングマージンが十分に確保されている場合においては、同期させなくてもよい。
【００４５】
なお、電源回路１からの電源Ｐ１を表示パネル駆動装置Ａ１，Ａ２，Ａ３に直接入力することに限定しないでよい。通常、電源配線は信号伝送基板などを使用して配線されるが、この面積を削減するために、クロック信号や表示データのように、初段の表示パネル駆動装置から順次、最終段の表示パネル駆動装置までカスケード伝送させてもよい。電源Ｐ２に関しても同様である。
【００４６】
なお、表示パネル駆動装置は、２段以上の構成でも問題はなく、また、１段のみの使用も可能である。
【００４７】
（実施の形態２）
本発明の実施の形態２は、表示データが複数チャンネルの表示データからなり、それぞれが同時変化をすることに起因するＥＭＩや電源ドロップなどを抑制するものである。
【００４８】
図４は本発明の実施の形態２におけるパネル表示装置の構成を示すブロック図である。図４において、実施の形態１の図１におけるのと同じ符号は同一構成要素を指している。本実施の形態に特有の構成は、固定端子における初段認識信号Ｆ１，Ｆ２，Ｆ３がそれぞれ表示パネル駆動装置Ａ１，Ａ２，Ａ３に入力されていることである。この初段認識信号Ｆ１，Ｆ２，Ｆ３は、表示データを最初に受け取る表示パネル駆動装置であることを認識させるための信号である。順方向取り込み動作モードのときも逆方向取り込み動作モードのときも、初段の表示パネル駆動装置Ａ１に対する初段認識信号Ｆ１を“Ｈ”レベルに設定し、その他の表示パネル駆動装置Ａ２，Ａ３に対する初段認識信号Ｆ２，Ｆ３を“Ｌ”レベルに設定する。その他の構成については、実施の形態１と同様であるので、説明を省略する。
【００４９】
次に、上記のように構成された本実施の形態のパネル表示装置の動作を説明する。
【００５０】
図５に示すように、表示データＤ１が２本の表示データＤ１−１，Ｄ１−２からなり、表示データＤ２が２本の表示データＤ２−１，Ｄ２−２からなるものとする。
【００５１】
初段認識信号Ｆ１が“Ｈ”レベルに設定された初段の表示パネル駆動装置Ａ１は、コントローラ２から出力される表示データＤ１−１と表示データＤ１−２をクロック信号Ｋ１の立ち上がりに同期して内部に取り込む。そして、次段の表示パネル駆動装置Ａ２に送出する際に、一方の表示データＤ１−１をクロック信号Ｋ１の立ち上がりに同期させて送出し、他方の表示データＤ１−２をクロック信号Ｋ１の立ち下がりに同期させて送出する。これにより、表示データＤ１−２を表示データＤ１−１に対して半周期遅らせて送出することができる。半周期のずらせは、初段の表示パネル駆動装置Ａ１だけで行えばよい。結果として、データの同時変化をなくすことができる。データ本数が増加した際に、多くのデータが同時変化を起こすことで発生するＥＭＩや電源ドロップなどの対策が可能になる。
【００５２】
なお、初段認識信号Ｆ１，Ｆ２，Ｆ３については、パネル表示装置上で固定されていてもよいが、固定させるための配線を削減させるために、表示パネル駆動装置Ａ１，Ａ２，Ａ３内でプルダウン素子やプルアップ素子をもたせ、“Ｈ”レベルか“Ｌ”レベルに固定してもよい。また、固定する以外に、コントローラ２から表示パネル駆動装置Ａ１，Ａ２，Ａ３に初段認識信号Ｆ１，Ｆ２，Ｆ３を供給して制御を行ってもよい。
【００５３】
（実施の形態３）
図６は本発明の実施の形態３におけるパネル表示装置の構成を示すブロック図である。本実施の形態は、図４の実施の形態２において、コントローラ２、表示パネル駆動装置Ａ１，Ａ２，Ａ３の組を１対備えたものである。すなわち、左側のコントローラ２aおよび表示パネル駆動装置Ａ１，Ａ２，Ａ３と、右側のコントローラ２bおよび表示パネル駆動装置Ｂ１，Ｂ２，Ｂ３を備えている。左側の要素と右側の要素とを区別するために、符号にサフィックスの“a”，“b”を付している。これは各種信号についても同様である。右側のコントローラ２bから初段の表示パネル駆動装置Ｂ１への信号・データの配線が大きく迂回している。
【００５４】
コントローラ２aから出力されるクロック信号Ｋa１、表示データＤa１、スタート信号Ｓa１、制御信号Ｃa１、シフト切替信号Ｘa１が初段の表示パネル駆動装置Ａ１に入力され、初段の表示パネル駆動装置Ａ１から送出されたクロック信号Ｋa２、表示データＤa２、スタート信号Ｓa２、制御信号Ｃa２、シフト切替信号Ｘa２が表示パネル駆動装置Ａ２に入力され、表示パネル駆動装置Ａ２から送出されたクロック信号Ｋa３、表示データＤa３、スタート信号Ｓa３、制御信号Ｃa３、シフト切替信号Ｘa３が最終段の表示パネル駆動装置Ａ３に入力され、最終段の表示パネル駆動装置Ａ３から送出されたイネーブル信号Ｅa１が表示パネル駆動装置Ａ２に入力され、表示パネル駆動装置Ａ２から送出されたイネーブル信号Ｅa２が初段の表示パネル駆動装置Ａ１に入力されている。固定端子における最終段認識信号Ｌa１〜Ｌa３がそれぞれ表示パネル駆動装置Ａ１，Ａ２，Ａ３に入力されている。また、固定端子における初段認識信号Ｆa１〜Ｆa３がそれぞれ表示パネル駆動装置Ａ１，Ａ２，Ａ３に入力されている。表示パネル駆動装置Ａ１，Ａ２，Ａ３から出力される階調電圧Ｖa１，Ｖa２，Ｖa３は表示パネル４に入力されている。
【００５５】
また、コントローラ２bから送出されるクロック信号Ｋb１、表示データＤb１、スタート信号Ｓb１、制御信号Ｃb１、シフト切替信号Ｘb１が初段の表示パネル駆動装置Ｂ１に入力され、表示パネル駆動装置Ｂ１から送出されたクロック信号Ｋb２、表示データＤb２、スタート信号Ｓb２、制御信号Ｃb２、シフト切替信号Ｘb２が表示パネル駆動装置Ｂ２に入力され、表示パネル駆動装置Ｂ２から送出されたクロック信号Ｋb３、表示データＤb３、スタート信号Ｓb３、制御信号Ｃb３、シフト切替信号Ｘb３が最終段の表示パネル駆動装置Ｂ３に入力され、最終段の表示パネル駆動装置Ｂ３から送出されたイネーブル信号Ｅb１が表示パネル駆動装置Ｂ２に入力され、表示パネル駆動装置Ｂ２から送出されたイネーブル信号Ｅb２が初段の表示パネル駆動装置Ｂ１に入力されている。固定端子における最終段認識信号Ｌb１〜Ｌb３がそれぞれ表示パネル駆動装置Ｂ１，Ｂ２，Ｂ３に入力されている。また、固定端子における初段認識信号Ｆb１〜Ｆb３がそれぞれ表示パネル駆動装置Ｂ１，Ｂ２，Ｂ３に入力されている。表示パネル駆動装置Ｂ１，Ｂ２，Ｂ３から出力される階調電圧Ｖb１，Ｖb２，Ｖb３が表示パネル４に入力されている。
【００５６】
電源回路１からは左側の表示パネル駆動装置Ａ１，Ａ２，Ａ３に対しても右側の表示パネル駆動装置Ｂ１，Ｂ２，Ｂ３に対しても電源Ｐ１が供給されている。
【００５７】
本実施の形態によれば、コントローラ２aから出力されるクロック信号、スタート信号などにより動作する第１のカスケード群である表示パネル駆動装置Ａ１，Ａ２，Ａ３と、コントローラ２bから出力されるクロック信号、スタート信号などにより動作する第２のカスケード群である表示パネル駆動装置Ｂ１，Ｂ２，Ｂ３とが、互いに独立して異なる動作を行うことができる。
【００５８】
（実施の形態４）
上記の実施の形態３においては、右側のコントローラ２bから右側初段の表示パネル駆動装置Ｂ１に接続する配線の引き回しが複雑かつ長配線になり、配線の交差を回避するための２層配線や、配線引き回し面積の増加によるコストメリットの悪化を招く可能性がある。これに対応するのが本発明の実施の形態４である。
【００５９】
図７は本発明の実施の形態４におけるパネル表示装置の構成を示すブロック図である。図７において、実施の形態３の図６におけるのと同じ符号は同一構成要素を指している。本実施の形態においては、いずれの表示パネル駆動装置も、受信も送信も行えるような第１の送受信部と第２の送受信部を備えている（図示省略。図８参照）。固定端子における送受信切替信号Ｙa１，Ｙa２，Ｙa３がそれぞれ表示パネル駆動装置Ａ１，Ａ２，Ａ３に入力され、送受信切替信号Ｙb１，Ｙb２，Ｙb３がそれぞれ表示パネル駆動装置Ｂ１，Ｂ２，Ｂ３に入力されている。これらの送受信切替信号は、第１の送受信部と第２の送受信部の受信と送信の役割を切り替えるための信号である。
【００６０】
本実施の形態によれば、コントローラ２bから出力される信号を第２のカスケード群における初段の表示パネル駆動装置Ｂ３における第１の送受信部または第２の送受信部の、より近い側に入力させることが可能になり、実施の形態３の場合に想定される迂回配線の課題は解決されるようになる。
【００６１】
なお、送受信切替信号Ｙa１，Ｙa２，Ｙa３と送受信切替信号Ｙb１，Ｙb２，Ｙb３については、パネル表示装置上で固定されていてもよいが、固定させるための配線を削減させるために、表示パネル駆動装置内でプルダウン素子やプルアップ素子をもたせ、“Ｈ”レベルか“Ｌ”レベルに固定してもよい。また、パネル表示装置上で固定する以外に、コントローラから各表示パネル駆動装置に異なる送受信切替信号を供給して制御を行ってもよい。
【００６２】
上記において、第１のカスケード群の表示パネル駆動装置Ａ１，Ａ２，Ａ３と第２のカスケード群の表示パネル駆動装置Ｂ１，Ｂ２，Ｂ３とを共通化した構成の表示パネル駆動装置を表示パネル駆動装置ＡＢとする。
【００６３】
次に、共通構成の表示パネル駆動装置ＡＢの構成例について図８から図１６を使用しながら説明する。
【００６４】
図８は表示パネル駆動装置ＡＢの構成を示すブロック図である。表示パネル駆動装置ＡＢは、第１の送受信部Ｑ１と、第２の送受信部Ｑ２と、内部回路１１と、シフトレジスタ１２と、ラッチ回路１３と、パネル駆動回路１４から構成されている。
【００６５】
第１の送受信部Ｑ１は、クロック信号Ｋ、表示データＤ、スタート信号Ｓ、制御信号Ｃ、シフト切替信号Ｘおよびイネーブル信号Ｅを送受信する回路を備えている。また、前述したように、最終段認識信号Ｌにより次段への送出に関する回路の停止制御を行う。
【００６６】
第２の送受信部Ｑ２は、クロック信号Ｋ′、表示データＤ′、スタート信号Ｓ′、制御信号Ｃ′、シフト切替信号Ｘ′およびイネーブル信号Ｅ′を送受信する回路を備えている。また、前述したように、最終段認識信号Ｌにより次段への送出に関する回路の停止制御を行う。
【００６７】
そして、第１の送受信部Ｑ１および第２の送受信部Ｑ２は、それぞれ、初段認識信号Ｆにより初段の表示パネル駆動装置ＡＢに入力される表示データのタイミングと次段以降に送出する表示データのタイミングが異なる場合に、初段と次段以降の表示パネル駆動装置ＡＢの制御方法の切り替えを行う。また、送受信切替信号Ｙにより、送受信の切り替え制御を行う。
【００６８】
内部回路１１は、第１の送受信部Ｑ１の信号と第２の送受信部Ｑ２の信号のうちどちらを使用するかの選択を行い、選択された信号により、リセット信号や内部クロック信号など、表示パネル駆動装置ＡＢの制御に必要な様々な内部信号を生成し、各ブロックに必要な信号を転送する回路である。さらに、第１の送受信部Ｑ１または第２の送受信部Ｑ２が受信した表示データの同期を行うための回路でもある。
【００６９】
ラッチ回路１３は、シフトレジスタ１２から出力されるラッチ信号ＳＬによって内部回路１１から出力される表示データＤを取り込むための回路である。
【００７０】
パネル駆動回路１４は、ラッチ回路１３より出力された表示データＤにより階調電圧Ｖを出力するための回路である。
【００７１】
図９に示すように、シフトレジスタ１２は、初段のシフト回路Ｔ１、初段・最終段以外のシフト回路Ｔ２、最終段のシフト回路Ｔｎ、第１の制御用シフト回路Ｔ１１および第２の制御用シフト回路Ｔ１２から構成されている。
【００７２】
図１０に示すように、初段のシフト回路Ｔ１は、第１の制御用シフト回路Ｔ１１から出力される論理積信号Ｇ１と次段のシフト回路Ｔ２のラッチ信号ＳＬ２のいずれか一方をシフト切替信号ＸまたはＸ′によって選択するセレクタＳＥ１と、セレクタＳＥ１から出力された信号と第２の制御用シフト回路Ｔ１２から出力される論理積信号Ｇ４（ラッチ信号ＳＬｎ由来）との論理和演算を行うＯＲゲートＯＲ１と、ＯＲゲートＯＲ１から出力された信号をクロック信号ＫまたはＫ′によって取り込むフリップフロップＦＦ１とを備えており、フリップフロップＦＦ１からラッチ信号ＳＬ１が出力される。このラッチ信号ＳＬ１は、ラッチ回路１３と次段のシフト回路Ｔ２と第２の制御用シフト回路Ｔ１２に入力される。
【００７３】
図１１に示すように、シフト回路Ｔ２は、前段のシフト回路Ｔ１またはＴ２のラッチ信号ＳＬ１〜ＳＬｎ−２と次段のシフト回路Ｔ２のラッチ信号ＳＬ３〜ＳＬｎのいずれか一方をシフト切替信号ＸまたはＸ′によって選択するセレクタＳＥ２と、セレクタＳＥ２から出力された信号をクロック信号ＫまたはＫ′によって取り込むフリップフロップＦＦ２とを備えており、フリップフロップＦＦ２からラッチ信号ＳＬ２〜ＳＬｎ−１が出力される。ラッチ信号ＳＬ２〜ＳＬｎ−１を出力する回路はすべてシフト回路Ｔ２である。
【００７４】
図１２に示すように、最終段のシフト回路Ｔｎは、前段のシフト回路Ｔｎ−１（シフト回路Ｔ２）のラッチ信号ＳＬｎ−１と第１の制御用シフト回路Ｔ１１から出力される論理積信号Ｇ２のいずれか一方をシフト切替信号ＸまたはＸ′によって選択するセレクタＳＥｎと、セレクタＳＥｎから出力された信号と第２の制御用シフト回路Ｔ１２から出力される論理積信号Ｇ３（ラッチ信号ＳＬ１由来）との論理和演算を行うＯＲゲートＯＲｎと、ＯＲゲートＯＲｎから出力された信号をクロック信号ＫまたはＫ′によって取り込むフリップフロップＦＦｎとを備えており、フリップフロップＦＦｎからラッチ信号ＳＬｎが出力される。このラッチ信号ＳＬｎは、ラッチ回路１３と第２の制御用シフト回路Ｔ１２に入力される。
【００７５】
図１３に示すように、第１の制御用シフト回路Ｔ１１は、送受信切替信号Ｙによってスタート信号Ｓとスタート信号Ｓ′のいずれか一方を選択するセレクタＳＥ１１と、セレクタＳＥ１１の出力信号とシフト切替信号ＸまたはＸ′との論理積演算を行い、論理積信号Ｇ１を初段のシフト回路Ｔ１に出力するＡＮＤゲートａ１１と、シフト切替信号ＸまたはＸ′の反転信号を生成するインバータＩＮＶ１１と、インバータＩＮＶ１１の出力信号とセレクタＳＥ１１の出力信号との論理積演算を行い、論理積信号Ｇ２を最終段のシフト回路Ｔｎに出力するＡＮＤゲートａ１２と、セレクタＳＥ１１の出力信号をクロック信号ＫまたはＫ′によって取り込むフリップフロップＦＦ１１とを備えており、フリップフロップＦＦ１１から第２の制御用シフト回路Ｔ１２へ信号Ｇ５が出力される。
【００７６】
図１４に示すように、第２の制御用シフト回路Ｔ１２は、イネーブル信号ＥまたはＥ′によって“Ｌ”レベルにリセットされ、制御信号ＣまたはＣ′によって“Ｈ”レベルにセットされるＲＳラッチＬＴ２１と、シフト切替信号ＸまたはＸ′によって初段のシフト回路Ｔ１からのラッチ信号ＳＬ１と最終段のシフト回路Ｔｎからのラッチ信号ＳＬｎのいずれか一方を選択するセレクタＳＥ２１と、制御信号ＣまたはＣ′によって“Ｈ”レベルにセットされ、ＲＳラッチＬＴ２１から出力される信号をセレクタＳＥ２１から出力されるタイミング信号によって取り込むフリップフロップＦＦ２１と、シフト切替信号ＸまたはＸ′の反転信号を生成するインバータＩＮＶ２１と、最終段認識信号Ｌの反転信号を生成するインバータＩＮＶ２２と、送受信切替信号Ｙの反転信号を生成するインバータＩＮＶ２３と、第１の制御用シフト回路Ｔ１１から出力される信号Ｇ５と初段のシフト回路Ｔ１からのラッチ信号ＳＬ１のいずれか一方をシフト切替信号ＸまたはＸ′によって選択するセレクタＳＥ２２と、第１の制御用シフト回路Ｔ１１から出力される信号Ｇ５と最終段のシフト回路Ｔｎからのラッチ信号ＳＬｎのいずれか一方をシフト切替信号ＸまたはＸ′によって選択するセレクタＳＥ２３と、ＡＮＤゲートａ２１，ａ２２，ａ２３，ａ２４を備えている。ＡＮＤゲートａ２１は、送受信切替信号Ｙと、インバータＩＮＶ２２からの最終段認識信号Ｌの反転信号と、インバータＩＮＶ２１からのシフト切替信号ＸまたはＸ′の反転信号と、フリップフロップＦＦ２１から出力される遅延されたイネーブル信号ＥまたはＥ′と、ラッチ信号ＳＬ１との論理積演算を行い、論理積信号Ｇ３を最終段のシフト回路Ｔｎへ出力するようになっている。ＡＮＤゲートａ２３は、インバータＩＮＶ２３からの送受信切替信号Ｙの反転信号と、インバータＩＮＶ２２からの最終段認識信号Ｌの反転信号と、シフト切替信号ＸまたはＸ′と、フリップフロップＦＦ２１から出力される遅延されたイネーブル信号ＥまたはＥ′と、ラッチ信号ＳＬｎとの論理積演算を行い、論理積信号Ｇ４を初段のシフト回路Ｔ１へ出力するようになっている。ＡＮＤゲートａ２２は、送受信切替信号Ｙと、インバータＩＮＶ２２からの最終段認識信号Ｌの反転信号と、セレクタＳＥ２３の出力信号との論理積演算を行い、演算結果として次段に対するスタート信号Ｓ′を出力するようになっている。ＡＮＤゲートａ２４は、インバータＩＮＶ２３からの送受信切替信号Ｙの反転信号と、インバータＩＮＶ２２からの最終段認識信号Ｌの反転信号と、セレクタＳＥ２２の出力信号との論理積演算を行い、演算結果として次段に対するスタート信号Ｓを出力するようになっている。
【００７７】
次に、上記のように構成された本実施の形態のパネル表示装置の動作を説明する。
【００７８】
（ａ）第１のカスケード群の表示パネル駆動装置Ａ１，Ａ２，Ａ３
図１５、図１６、図１７は第１のカスケード群の表示パネル駆動装置Ａ１，Ａ２，Ａ３の動作にかかわるタイミングチャートである。図１５は最終段以外の表示パネル駆動装置Ａ１，Ａ２についての順方向取り込み動作モードのタイミングチャート、図１６は最終段の表示パネル駆動装置Ａ３についての逆方向取り込み動作モードのタイミングチャート、図１７は最終段以外の表示パネル駆動装置Ａ１，Ａ２についての逆方向取り込み動作モードのタイミングチャートである。図１５〜図１７においては、送受信切替信号Ｙを“Ｈ”レベルに設定することにより、図１３の第１の制御用シフト回路Ｔ１１において、セレクタＳＥ１１は“Ｈ”選択入力端子からのスタート信号Ｓを選択する。また、図１４の第２の制御用シフト回路Ｔ１２において、ＡＮＤゲートａ２３，ａ２４はオフ状態にする。
【００７９】
（１）順方向取り込み動作モード
図１５は、最終段以外の表示パネル駆動装置Ａ１，Ａ２についての順方向取り込み動作モードの動作を示すタイミングチャートである。この場合、送受信切替信号Ｙが“Ｈ”レベル、最終段認識信号Ｌが“Ｌ”レベル、シフト切替信号Ｘが“Ｈ”レベルに設定される。
【００８０】
最終段認識信号Ｌが“Ｌ”レベルに設定されているので、最終段以外の表示パネル駆動装置Ａ１，Ａ２についての動作となる。また、シフト切替信号Ｘが“Ｈ”レベルに設定されているので、図１３の第１の制御用シフト回路Ｔ１１において、ＡＮＤゲートａ１１はオン状態、ＡＮＤゲートａ１２はオフ状態となる。結果として、第１の制御用シフト回路Ｔ１１は、論理積信号Ｇ１を初段のシフト回路Ｔ１へ送出することになる。つまり、スタート信号Ｓの送出方向が順方向となり、順方向取り込み動作モードとなる。また、図１４の第２の制御用シフト回路Ｔ１２において、ＡＮＤゲートａ２１はシフト切替信号Ｘが“Ｈ”レベルであるのでオフ状態となる。ＡＮＤゲートａ２２は送受信切替信号Ｙで最終段認識信号Ｌが“Ｌ”レベルであるのでオン状態となる。ＡＮＤゲートａ２３は送受信切替信号Ｙが“Ｈ”レベルであるのでオフ状態となる。ＡＮＤゲートａ２４は送受信切替信号Ｙが“Ｈ”レベルであるのでオフ状態となる。すなわち、ＡＮＤゲートａ２２だけがオン状態である。
【００８１】
図１３の第１の制御用シフト回路Ｔ１１において、セレクタＳＥ１１がコントローラ２からのスタート信号Ｓを選択し、ＡＮＤゲートａ１１が論理積信号Ｇ１を初段のシフト回路Ｔ１に送出する。図１０の初段のシフト回路Ｔ１において、シフト切替信号Ｘが“Ｈ”レベルであるので、セレクタＳＥ１は第１の制御用シフト回路Ｔ１１からの論理積信号Ｇ１を選択する。この信号がＯＲゲートＯＲ１を介してフリップフロップＦＦ１に入力される。ＯＲゲートＯＲ１の他方の入力は、ＡＮＤゲートａ２３の出力Ｇ４であるが、上記のとおりＡＮＤゲートａ２３はオフ状態であることから“Ｌ”レベルである。フリップフロップＦＦ１において、論理積信号Ｇ１はクロック信号Ｋに同期して取り込まれ、ラッチ信号ＳＬ１としてラッチ回路１３と図１１の次段のシフト回路Ｔ２のセレクタＳＥ２の“Ｈ”選択入力端子に入力される。図１４の第２の制御用シフト回路Ｔ１２におけるＡＮＤゲートａ２１にも入力されるが、これは無関係である。図１１のシフト回路Ｔ２において、シフト切替信号Ｘが“Ｈ”レベルであるので、セレクタＳＥ２は初段のシフト回路Ｔ１から送出されてくるラッチ信号ＳＬ１を選択し、このラッチ信号ＳＬ１がフリップフロップＦＦ２に入力される。フリップフロップＦＦ２において、ラッチ信号ＳＬ１はクロック信号Ｋに同期して取り込まれ、さらに次段のシフト回路Ｔ２のセレクタＳＥ２の“Ｈ”選択入力端子に入力される。以下同様に、ラッチ信号はシフト回路Ｔ２を伝播し、最後に、図１２の最終段のシフト回路ＴｎのセレクタＳＥｎの“Ｈ”選択入力端子に入力される。図１２の最終段のシフト回路Ｔｎにおいて、シフト切替信号Ｘが“Ｈ”レベルであるので、セレクタＳＥｎは前段のシフト回路Ｔｎ−１からのラッチ信号ＳＬｎ−１を選択する。このラッチ信号ＳＬｎ−１がＯＲゲートＯＲｎを介してフリップフロップＦＦｎに入力される。ＯＲゲートＯＲｎの他方の入力は、第２の制御用シフト回路Ｔ１２におけるＡＮＤゲートａ２１の出力Ｇ３であるが、上記のとおりＡＮＤゲートａ２１はオフ状態であり、無関係である。フリップフロップＦＦｎにおいて、ラッチ信号ＳＬｎ−１はクロック信号Ｋに同期して取り込まれ、ラッチ信号ＳＬｎとしてラッチ回路１３と図１４の第２の制御用シフト回路Ｔ１２のＡＮＤゲートａ２３とセレクタＳＥ２３に入力される。さらに、セレクタＳＥ２３において“Ｈ”レベルのシフト切替信号Ｘで選択され、ＡＮＤゲートａ２２へ入力される。前述のとおり、ＡＮＤゲートａ２２はオン状態であるので、ラッチ信号ＳＬｎは次段の表示パネル駆動装置に対するスタート信号Ｓ′として出力される。ＡＮＤゲートａ２３およびセレクタＳＥ２１は無関係である。
【００８２】
上記において、初段のシフト回路Ｔ１からはラッチ信号ＳＬ１がラッチ回路１３に送出され、シフト回路Ｔ２のそれぞれからはラッチ信号ＳＬ２…ＳＬｎ−１がラッチ回路１３に送出され、最終段のシフト回路Ｔｎからはラッチ信号ＳＬｎがラッチ回路１３に送出される。
【００８３】
以上を要するに、スタート信号Ｓを受信後、表示データＤをラッチ回路１３に取り込むための順方向のラッチ信号ＳＬ１〜ＳＬｎを生成する。この場合、ラッチ信号ＳＬｎを出力した後にシフトレジスタ１２の動作は完了し、次のスタート信号Ｓが入力されるまでシフトレジスタ１２は動作しない。また、ラッチ信号ＳＬｎを次段に対するスタート信号Ｓとして第２の送受信部Ｑ２から送出する。ラッチ回路１３は、シフトレジスタ１２から出力されるラッチ信号ＳＬ１〜ＳＬｎによって内部回路１１から出力される表示データＤを取り込む。そして、パネル駆動回路１４は、ラッチ回路１３より出力された表示データＤにより階調電圧Ｖを生成し、表示パネル４に対して出力する。
【００８４】
タイミングチャートは省略するが、上記に対して、最終段認識信号Ｌが“Ｈ”レベルの場合は、最終段の表示パネル駆動装置Ａ３の動作となる。すなわち、図１４の第２の制御用シフト回路Ｔ１２において、最終段認識信号Ｌが“Ｈ”レベルであることから、インバータＩＮＶ２２の出力が“Ｌ”レベルとなって、ＡＮＤゲートａ２２もオフ状態となる。その結果、ラッチ信号ＳＬｎを第２の送受信部Ｑ２から次段に対するスタート信号Ｓ′として送出する動作は行われない。その他の動作については、上記と同様である。
【００８５】
（２）逆方向取り込み動作モード
図１６は、最終段の表示パネル駆動装置Ａ３についての逆方向取り込み動作モードの動作を示すタイミングチャートである。この場合、送受信切替信号Ｙが“Ｈ”レベル、最終段認識信号Ｌが“Ｈ”レベル、シフト切替信号Ｘが“Ｌ”レベルに設定される。図１５との対比において、最終段認識信号Ｌとシフト切替信号Ｘとは逆論理で、送受信切替信号Ｙは共通となっている。
【００８６】
最終段認識信号Ｌが“Ｈ”レベルに設定されているので、最終段の表示パネル駆動装置Ａ３についての動作となる。また、シフト切替信号Ｘが“Ｌ”レベルに設定されているので、図１３の第１の制御用シフト回路Ｔ１１において、ＡＮＤゲートａ１１はオフ状態、ＡＮＤゲートａ１２はオン状態となる。結果として、第１の制御用シフト回路Ｔ１１は、論理積信号Ｇ２を最終段のシフト回路Ｔｎへ送出することになる。つまり、スタート信号Ｓの送出方向が逆方向となり、逆方向取り込み動作モードとなる。また、図１４の第２の制御用シフト回路Ｔ１２において、ＡＮＤゲートａ２１，ａ２２，ａ２３，ａ２４は、最終段認識信号Ｌが“Ｈ”レベルであるのでオフ状態となる。結局、第２の制御用シフト回路Ｔ１２は不動作状態となる。
【００８７】
図１３の第１の制御用シフト回路Ｔ１１において、セレクタＳＥ１１がコントローラ２からのスタート信号Ｓを選択し、ＡＮＤゲートａ１２が論理積信号Ｇ２を最終段のシフト回路Ｔｎに送出する。図１２の最終段のシフト回路Ｔｎにおいて、シフト切替信号Ｘが“Ｌ”レベルであるので、セレクタＳＥｎは第１の制御用シフト回路Ｔ１１からの論理積信号Ｇ２を選択する。この信号がＯＲゲートＯＲｎを介してフリップフロップＦＦｎに入力される。ＯＲゲートＯＲｎの他方の入力は、ＡＮＤゲートａ２１の出力Ｇ３であるが、上記のとおりＡＮＤゲートａ２１はオフ状態であることから“Ｌ”レベルである。フリップフロップＦＦｎにおいて、論理積信号Ｇ２はクロック信号Ｋに同期して取り込まれ、ラッチ信号ＳＬｎとしてラッチ回路１３と図１１の次段のシフト回路Ｔ２のセレクタＳＥ２の“Ｌ”選択入力端子に入力される。図１４の第２の制御用シフト回路Ｔ１２におけるＡＮＤゲートａ２３およびセレクタＳＥ２３にも入力されるが、これは無関係である。
【００８８】
図１１の前段のシフト回路Ｔ２において、シフト切替信号Ｘが“Ｌ”レベルであるので、セレクタＳＥ２は最終段のシフト回路Ｔｎから送出されてくるラッチ信号ＳＬｎを選択し、このラッチ信号ＳＬｎがフリップフロップＦＦ２に入力される。フリップフロップＦＦ２において、ラッチ信号ＳＬｎはクロック信号Ｋに同期して取り込まれ、さらにラッチ信号ＳＬｎ−１として前段のシフト回路Ｔ２のセレクタＳＥ２の“Ｌ”選択入力端子に入力される。以下同様に、ラッチ信号はシフト回路Ｔ２を伝播し、最後に、図１０の初段のシフト回路Ｔ１のセレクタＳＥ１の“Ｌ”選択入力端子にラッチ信号ＳＬ２が入力される。初段のシフト回路Ｔ１において、シフト切替信号Ｘが“Ｌ”レベルであるので、セレクタＳＥ１はラッチ信号ＳＬ２を選択する。このラッチ信号ＳＬ２がＯＲゲートＯＲ１を介してフリップフロップＦＦ１に入力される。ＯＲゲートＯＲ１の他方の入力は、ＡＮＤゲートａ２３の出力Ｇ４であるが、上記のとおりＡＮＤゲートａ２３はオフ状態であり無関係である。フリップフロップＦＦ１において、ラッチ信号ＳＬ２はクロック信号Ｋに同期して取り込まれ、ラッチ信号ＳＬ１としてラッチ回路１３に出力される。図１４の第２の制御用シフト回路Ｔ１２のセレクタＳＥ２１およびＡＮＤゲートａ２１にも入力されるが、これは無関係である。
【００８９】
図１７は、最終段以外の表示パネル駆動装置Ａ１，Ａ２についての逆方向取り込み動作モードの動作を示すタイミングチャートである。この場合、送受信切替信号Ｙが“Ｈ”レベル、最終段認識信号Ｌが“Ｌ”レベル、シフト切替信号Ｘが“Ｌ”レベルに設定される。図１３の第１の制御用シフト回路Ｔ１１において、送受信切替信号Ｙが“Ｈ”レベルであるので、セレクタＳＥ１１はスタート信号Ｓを選択する。また、ＡＮＤゲートａ１１がオフ状態に、ＡＮＤゲートａ１２がオン状態になるので、第１の制御用シフト回路Ｔ１１からはスタート信号Ｓが論理積信号Ｇ２として、最終段のシフト回路ＴｎのセレクタＳＥｎの“Ｌ”選択入力端子に入力される。一方、図１４の第２の制御用シフト回路Ｔ１２において、ＡＮＤゲートａ２１，ａ２２がオン状態になり、ＡＮＤゲートａ２３，ａ２４はオフ状態になる。
【００９０】
スタート信号Ｓを受信後、逆方向のラッチ信号ＳＬｎ〜ＳＬ１を出力するが、図１４の第２の制御用シフト回路Ｔ１２において、ＲＳラッチＬＴ２１にイネーブル信号Ｅ′が入力されない限り、ＲＳラッチＬＴ２１は“Ｈ”レベルをフリップフロップＦＦ２１のデータ入力端子に出力し続ける。ＡＮＤゲートａ２１に対するフリップフロップＦＦ２１からの入力は“Ｈ”レベルとなっている。そこで、初段のシフト回路Ｔ１からラッチ信号ＳＬ１がオン状態にあるＡＮＤゲートａ２１に入力されると、その論理積信号Ｇ３が最終段のシフト回路ＴｎのＯＲゲートＯＲｎに対して再度のスタート信号として入力されることになり、これが最終段のシフト回路Ｔｎのラッチ信号ＳＬｎとして再度出力され、上記の動作が繰り返される。すなわち、イネーブル信号Ｅ′が入力されるまで、ラッチ信号ＳＬｎ〜ＳＬ１を繰り返し出力する。
【００９１】
上記の過程において、第２の送受信部Ｑ２がイネーブル信号Ｅ′を生成して図１４の第２の制御用シフト回路Ｔ１２のＲＳラッチＬＴ２１にイネーブル信号Ｅ′が入力されると、ＲＳラッチＬＴ２１はリセットされてフリップフロップＦＦ２１のデータ入力端子に“Ｌ”レベルを出力する。次に、最終段のシフト回路Ｔｎがラッチ信号ＳＬｎを出力すると、これが第２の制御用シフト回路Ｔ１２におけるセレクタＳＥ２１の“Ｌ”選択入力端子に入力され、セレクタＳＥ２１の出力でフリップフロップＦＦ２１をトリガすると、フリップフロップＦＦ２１の出力が“Ｌ”レベルとなり、ＡＮＤゲートａ２１はオフ状態に反転する。したがって、次に初段のシフト回路Ｔ１からラッチ信号ＳＬ１がＡＮＤゲートａ２１に入力されても、論理積信号Ｇ３は出力されない。つまり、ラッチ信号ＳＬｎ〜ＳＬ１の繰り返し出力は停止される。
【００９２】
イネーブル信号Ｅ′が入力された次のラッチ信号ＳＬｎ〜ＳＬ１を、自身に対応した表示データＤを取り込むためのラッチ信号ＳＬｎ〜ＳＬ１として生成し、その後、シフトレジスタ１２の動作は完了し、次のスタート信号Ｓが入力されるまでシフトレジスタ１２は動作しない。また、第１の送受信部Ｑ１は、イネーブル信号Ｅ′が入力された次のラッチ信号ＳＬｎの後のラッチ信号ＳＬ１から数個前のラッチ信号をイネーブル信号Ｅとして送出する。
【００９３】
なお、ＡＮＤゲートａ２２がオン状態にあり、第１の制御用シフト回路Ｔ１１から出力される信号Ｇ５を次段に対するスタート信号Ｓ′として第２の送受信部Ｑ２から送出する。
【００９４】
以上を要するに、スタート信号Ｓを受信後、表示データＤをラッチ回路１３に取り込むための逆方向のラッチ信号ＳＬｎ〜ＳＬ１を生成する。イネーブル信号Ｅ′が入力されるまで、再度ラッチ信号ＳＬｎ〜ＳＬ１を出力し、イネーブル信号Ｅ′が入力された次のラッチ信号ＳＬｎ〜ＳＬ１を、自身に対応した表示データを取り込むためのラッチ信号として生成し、その後、シフトレジスタ１２の動作は完了し、次のスタート信号Ｓが入力されるまでシフトレジスタ１２は動作しない。また、イネーブル信号Ｅ′が入力された次のラッチ信号ＳＬｎの後のラッチ信号ＳＬ１から数個前のラッチ信号をイネーブル信号Ｅとして第１の送受信部Ｑ１から送出する。また、第１の制御用シフト回路Ｔ１１から出力される信号Ｇ５を次段に対するスタート信号Ｓ′として第２の送受信部Ｑ２から送出する。
【００９５】
（ｂ）第２のカスケード群の表示パネル駆動装置Ｂ１，Ｂ２，Ｂ３
図１８、図１９、図２０は第２のカスケード群の表示パネル駆動装置Ｂ１，Ｂ２，Ｂ３の動作にかかわるタイミングチャートである。図１８は最終段以外の表示パネル駆動装置Ｂ２，Ｂ３についての順方向取り込み動作モードのタイミングチャート、図１９は最終段の表示パネル駆動装置Ｂ１についての逆方向取り込み動作モードのタイミングチャート、図２０は最終段以外の表示パネル駆動装置Ｂ２，Ｂ３についての逆方向取り込み動作モードのタイミングチャートである。図１８〜図２０においては、送受信切替信号Ｙを“Ｌ”レベルに設定することにより、図１３の第１の制御用シフト回路Ｔ１１において、セレクタＳＥ１１はスタート信号Ｓ′を選択する。また、図１４の第２の制御用シフト回路Ｔ１２において、ＡＮＤゲートａ２１，ａ２２がオフ状態になる。
【００９６】
（１）順方向取り込み動作モード
図１８は、最終段以外の表示パネル駆動装置Ｂ２，Ｂ３についての順方向取り込み動作モードの動作を示すタイミングチャートである。この場合、送受信切替信号Ｙが“Ｌ”レベル、最終段認識信号Ｌが“Ｌ”レベル、シフト切替信号Ｘ′が“Ｌ”レベルに設定される。図１８の動作は、第１のカスケード群における図１５の表示パネル駆動装置Ａ１，Ａ２の動作と対称的な動作となる。
【００９７】
スタート信号Ｓ′を受信後、ラッチ信号ＳＬｎ〜ＳＬ１まで表示データＤをラッチ回路１３に取り込むためのラッチ信号を生成する。この場合、ラッチ信号ＳＬ１を出力した後にシフトレジスタ１２の動作は完了し、次のスタート信号Ｓ′が入力されるまでシフトレジスタ１２は動作しない。また、ラッチ信号ＳＬ１を次段に対するスタート信号Ｓとして第１の送受信部Ｑ１から送出する。
【００９８】
タイミングチャートは省略しているが、上記に対して、最終段認識信号Ｌが“Ｈ”レベルの場合、ラッチ信号ＳＬ１を次段に対するスタート信号Ｓとして第１の送受信部Ｑ１から送出を行わない。送出を行わない以外は、前記と同様の動作を行う。
【００９９】
（２）逆方向取り込み動作モード
図１９は、最終段の表示パネル駆動装置Ｂ１についての逆方向取り込み動作モードの動作を示すタイミングチャートである。この場合、送受信切替信号Ｙが“Ｌ”レベル、最終段認識信号Ｌが“Ｈ”レベル、シフト切替信号Ｘ′が“Ｈ”レベルに設定される。図１９の動作は、第１のカスケード群における図１６の表示パネル駆動装置Ａ３の動作と対称的な動作となる。
【０１００】
スタート信号Ｓ′を受信後、ラッチ信号ＳＬ１〜ＳＬｎまで表示データＤをラッチ回路１３に取り込むためのラッチ信号ＳＬを生成する。この場合、ラッチ信号ＳＬｎを出力した後にシフトレジスタ１２の動作は完了し、次のスタート信号Ｓ′が入力されるまでシフトレジスタ１２は動作しない。また、ラッチ信号ＳＬｎから数個前のラッチ信号をイネーブル信号Ｅ′として第２の送受信部Ｑ２から送出する。
【０１０１】
図２０は、最終段以外の表示パネル駆動装置Ｂ２，Ｂ３についての逆方向取り込み動作モードの動作を示すタイミングチャートである。この場合、送受信切替信号Ｙが“Ｌ”レベル、最終段認識信号Ｌが“Ｌ”レベル、シフト切替信号Ｘ′が“Ｈ”レベルに設定される。図２０の動作は、第１のカスケード群における図１７の表示パネル駆動装置Ａ１，Ａ２の動作と対称的な動作となる。
【０１０２】
スタート信号Ｓ′を受信後、ラッチ信号ＳＬ１〜ＳＬｎまで出力するが、イネーブル信号Ｅが入力されるまで、再度ラッチ信号ＳＬ１〜ＳＬｎを出力し、イネーブル信号Ｅが入力された次のラッチ信号ＳＬ１〜ＳＬｎを、自身に対応した表示データＤを取り込むためのラッチ信号ＳＬとして生成し、その後シフトレジスタ１２の動作は完了し、次のスタート信号Ｓ′が入力されるまでシフトレジスタ１２は動作しない。また、イネーブル信号Ｅが入力された次のラッチ信号ＳＬ１後のラッチ信号ＳＬｎから数個前のラッチ信号ＳＬをイネーブル信号Ｅ′として第２の送受信部Ｑ２から送出する。また、第１の制御用シフト回路Ｔ１１から出力される信号Ｇ５を次段に対するスタート信号Ｓとして第１の送受信部Ｑ１から送出する。
【０１０３】
上記の動作により、初段の表示パネル駆動装置ＡＢから最終段の表示パネル駆動装置ＡＢまで表示データＤの取り込みを順次行うラッチ信号の生成と、最終段の表示パネル駆動装置ＡＢから初段の表示パネル駆動装置ＡＢまで表示データＤの取り込みを順次行うラッチ信号の生成が可能になり、さらに、送受信切り替えの機能も備えているため、コントローラ２から出力される信号を、第１の送受信部Ｑ１または第２の送受信部Ｑ２のどちらからでも受信し、カスケード伝送が可能になる。
【０１０４】
なお、ラッチ信号ＳＬ１から数個前のラッチ信号ＳＬをイネーブル信号Ｅ、ラッチ信号ＳＬｎから数個前のラッチ信号ＳＬをイネーブル信号Ｅ′とすると説明したが、イネーブル信号Ｅとイネーブル信号Ｅ′の出力位置は特に固定されるものではない。
【０１０５】
なお、ラッチ信号ＳＬｎまたは第１の制御用シフト回路Ｔ１１から出力される信号Ｇ５を次段に対するスタート信号Ｓ′、ラッチ信号ＳＬ１または第１の制御用シフト回路Ｔ１１から出力される信号Ｇ５を次段に対するスタート信号Ｓと説明したが、これは表示データＤの同期の取り方で大きく変わるため、表示データＤとラッチ信号ＳＬのタイミングさえ合っていればよく、特に固定されるものではない。
【０１０６】
なお、上記で説明した構成は、論理回路の組み方で大きく変わるが、同様の効果を得られる回路構成であれば、特に固定されるものではない。
【産業上の利用可能性】
【０１０７】
本発明の技術は、液晶パネルなどのカスケード方式のパネル表示装置において特に双方向カスケード伝送を実現するに際して、省電力化、低コスト化、狭額縁化を達成する上で有用である。
【図面の簡単な説明】
【０１０８】
【図１】本発明の実施の形態１におけるパネル表示装置の構成を示すブロック図
【図２】本発明の実施の形態１におけるパネル表示装置の順方向取り込み動作モードの動作を示すタイミングチャート
【図３】本発明の実施の形態１におけるパネル表示装置の逆方向取り込み動作モードの動作を示すタイミングチャート
【図４】本発明の実施の形態２におけるパネル表示装置の構成を示すブロック図
【図５】本発明の実施の形態２におけるパネル表示装置のタイミングチャート
【図６】本発明の実施の形態３におけるパネル表示装置の構成を示すブロック図
【図７】本発明の実施の形態４におけるパネル表示装置の構成を示すブロック図
【図８】本発明の実施の形態における共通構成の表示パネル駆動装置の構成例を示すブロック図
【図９】本発明の実施の形態における共通構成の表示パネル駆動装置のシフトレジスタの構成図
【図１０】図９に示すシフトレジスタにおける初段のシフト回路の構成図
【図１１】図９に示すシフトレジスタにおける初段・最終段以外のシフト回路の構成図
【図１２】図９に示すシフトレジスタにおける最終段のシフト回路の構成図
【図１３】図９に示すシフトレジスタにおける第１の制御用シフト回路の構成図
【図１４】図９に示すシフトレジスタにおける第２の制御用シフト回路の構成図
【図１５】本発明の実施の形態における第１のカスケード群の表示パネル駆動装置の動作を示すタイミングチャート（その１）
【図１６】本発明の実施の形態における第１のカスケード群の表示パネル駆動装置の動作を示すタイミングチャート（その２）
【図１７】本発明の実施の形態における第１のカスケード群の表示パネル駆動装置の動作を示すタイミングチャート（その３）
【図１８】本発明の実施の形態における第２のカスケード群の表示パネル駆動装置の動作を示すタイミングチャート（その１）
【図１９】本発明の実施の形態における第２のカスケード群の表示パネル駆動装置の動作を示すタイミングチャート（その２）
【図２０】本発明の実施の形態における第２のカスケード群の表示パネル駆動装置の動作を示すタイミングチャート（その３）
【図２１】従来の技術におけるパネル表示装置の構成を示すブロック図
【符号の説明】
【０１０９】
１  電源回路
２，２a，２b  コントローラ
３１〜３３  走査ドライバ
４  表示パネル
１２  シフト回路
１３  ラッチ回路
１４  パネル駆動回路
Ａ１，Ａ２，Ａ３，Ｂ１，Ｂ２，Ｂ３  表示パネル駆動装置
ＡＢ  共通構成の表示パネル駆動装置
Ｑ１  第１の送受信部
Ｑ２  第２の送受信部
Ｐ１，Ｐ２  電源
ＳＬ１，ＳＬ２…ＳＬｎ  ラッチ信号
Ｃ，Ｃ′，Ｃ１〜Ｃ３，Ｃa１〜Ｃa３，Ｃb１〜Ｃb３  制御信号
Ｄ，Ｄ′，Ｄ１〜Ｄ３，Ｄa１〜Ｄa３，Ｄb１〜Ｄb３  表示データ
Ｅ，Ｅ′，Ｅ１，Ｅ２，Ｅa１，Ｅa２，Ｅb１，Ｅb３  イネーブル信号
Ｆ，Ｆ′，Ｆ１〜Ｆ３，Ｆa１〜Ｆa３，Ｆb１〜Ｆb３  初段認識信号
Ｋ，Ｋ′，Ｋ１〜Ｋ３，Ｋa１〜Ｋa３，Ｋb１〜Ｋb３  クロック信号
Ｌ，Ｌ１〜Ｌ３，Ｌa１〜Ｌa３，Ｌb１〜Ｌb３  最終段認識信号
Ｓ，Ｓ′，Ｓ１〜Ｓ３，Ｓa１〜Ｓa３，Ｓb１〜Ｓb３  スタート信号
Ｘ，Ｘ′，Ｘ１〜Ｘ３，Ｘa１〜Ｘa３，Ｘb１〜Ｘb３  シフト切替信号
Ｙ，Ｙ１〜Ｙ３，Ｙa１〜Ｙa３，Ｙb１〜Ｙb３  送受信切替信号
Ｖ，Ｖ１〜Ｖ３，Ｖa１〜Ｖa３，Ｖb１〜Ｖb３  階調電圧
【図１】
2008083303.tif 000003
【図２】
2008083303.tif 000004
【図３】
2008083303.tif 000005
【図４】
2008083303.tif 000006
【図５】
2008083303.tif 000007
【図６】
2008083303.tif 000008
【図７】
2008083303.tif 000009
【図８】
2008083303.tif 000010
【図９】
2008083303.tif 000011
【図１０】
2008083303.tif 000012
【図１１】
2008083303.tif 000013
【図１２】
2008083303.tif 000014
【図１３】
2008083303.tif 000015
【図１４】
2008083303.tif 000016
【図１５】
2008083303.tif 000017
【図１６】
2008083303.tif 000018
【図１７】
2008083303.tif 000019
【図１８】
2008083303.tif 000020
【図１９】
2008083303.tif 000021
【図２０】
2008083303.tif 000022
【図２１】
2008083303.tif 000023